(57)【要約】【課題】塵埃除去ユニットに異常が発生した場合であっても、その後、安定した空調運転を実現することができる空気調和機を提供する。【解決手段】室内空気が流入する吸入部１０から流入する塵埃を捕集するエアフィルタ１５と、このエアフィルタ１５に付着した塵埃を取り除く塵埃除去ユニット２０とを備えた空気調和機ＡＣにおいて、塵埃除去ユニット２０を制御する自動掃除制御部３５は、塵埃除去ユニット２０を、所定の待機位置からエアフィルタ１５の空気流入側を往復移動させることにより、エアフィルタ１５に付着した塵埃を取り除くと共に、移動中に塵埃除去ユニット２０に異常が発生した場合、待機位置に戻す待避動作を実行する。【選択図】図２
2011075170.tif 000002
【特許請求の範囲】
【請求項１】
室内空気が流入する吸入部と、該吸入部から流入する塵埃を捕集するエアフィルタと、該エアフィルタに付着した塵埃を取り除く塵埃除去ユニットとを備えた空気調和機において、
前記塵埃除去ユニットを制御する制御手段を備え、該制御手段は、前記塵埃除去ユニットを、所定の待機位置から前記エアフィルタの空気流入側を往復移動させることにより、当該エアフィルタに付着した塵埃を取り除くと共に、移動中に当該塵埃除去ユニットに異常が発生した場合、前記待機位置に戻す待避動作を実行することを特徴とする空気調和機。
【請求項２】
前記制御手段は、前記塵埃除去ユニットに異常が発生した場合、所定の警報を発生することを特徴とする請求項１に記載の空気調和機。
【請求項３】
前記塵埃除去ユニットは、前記ブラシと、該ブラシを回転させるブラシ回転手段と、前記ブラシを往復移動させるブラシ移動手段と、前記ブラシの回転を検出するブラシ回転検出手段を有すると共に、前記制御手段は、前記ブラシの移動を検出する移動検出手段を有し、該移動検出手段及び前記ブラシ回転検出手段の出力に基づいて前記塵埃除去ユニットの異常を検知することを特徴とする請求項１又は請求項２に記載の空気調和機。
【発明の詳細な説明】
【技術分野】
【０００１】
本発明は、室内空気が流入する吸入部と、この吸入部から流入する塵埃を捕集するエアフィルタと、このエアフィルタに付着した塵埃を取り除く塵埃除去ユニットとを備えた空気調和機に関する。
【背景技術】
【０００２】
従来のこの種の空気調和機は、例えば特許文献１に示されるような天井埋込型空気調和機がある。この場合空気調和機のユニット（室内ユニット）は被調和室内の天井内部に収納され、このユニット内には熱交換器と送風機が取り付けられている。この熱交換器は、室外に設置されたユニット（室外ユニット）と所定の冷媒回路を構成し、冷房／ドライ／暖房作用を発揮する。そして、送風機によって被調和室内の空気を吸引し、熱交換器と熱交換させた後、吹出口から被調和室内に吹き出して空調するものである。
【０００３】
ここで、ユニット内には、室内空気が吸引されることから、当該室内空気中に浮遊する塵埃がユニット内に侵入することを防止するため、室内ユニットの吸入部には、当該塵埃を捕集するためのエアフィルタが設けられている。
【０００４】
空気調和装置の運転によって、エアフィルタには、捕集された塵埃が蓄積される。エアフィルタに付着した塵埃は、室内空気の流通抵抗を増加させるため、また、当該蓄積された塵埃によるカビの発生を防止するため、定期的なメンテナンス作業が必要とされる。
【０００５】
しかしながら、天井など高所に設けられた室内ユニットのエアフィルタのメンテナンス作業は煩雑な作業が伴うため、その清掃性が悪い。そこで、上述した如き特許文献１には、回転ブラシを備えた清掃装置をエアフィルタの面に沿って往復移動させることにより、エアフィルタに付着した塵埃の除去処理を行っていた。
【先行技術文献】
【特許文献】
【０００６】
【特許文献１】２００８−１７５４８６号公報
【発明の概要】
【発明が解決しようとする課題】
【０００７】
しかしながら、上述した如き特許文献１に示される構成では、清掃装置を構成するブラシが回転していないなどの異常を検知することができず、実際にブラシが回転していない場合であっても、回転したものとしてエアフィルタの清掃が行われたものと判断してしまう不都合がある。
【０００８】
また、清掃装置を往復移動中に、エアフィルタの面に付着した異物等によって、当該往復動作が阻害されたしまった場合には、清掃動作を継続することができず、清掃動作を終了してしまい、以後、通常の空調運転が行われてしまう。
【０００９】
この場合、清掃装置がエアフィルタの室内空気吸入部に滞留してしまうことから、円滑に室内空気を室内ユニット内に吸入することができず、安定した空調運転の妨げとなってしまう問題があった。
【００１０】
本発明は従来の技術的課題を解決するために成されたものであり、塵埃除去ユニットに異常が発生した場合であっても、その後、安定した空調運転を実現することができる空気調和機を提供する。
【課題を解決するための手段】
【００１１】
上記課題を解決するために、本発明の空気調和機は、室内空気が流入する吸入部と、この吸入部から流入する塵埃を捕集するエアフィルタと、このエアフィルタに付着した塵埃を取り除く塵埃除去ユニットとを備えたものであって、塵埃除去ユニットを制御する制御手段を備え、この制御手段は、塵埃除去ユニットを、所定の待機位置からエアフィルタの空気流入側を往復移動させることにより、このエアフィルタに付着した塵埃を取り除くと共に、移動中にこの塵埃除去ユニットに異常が発生した場合、待機位置に戻す待避動作を実行することを特徴とする。
【００１２】
請求項２の発明は、上記において、制御手段は、塵埃除去ユニットに異常が発生した場合、所定の警報を発生することを特徴とする。
【００１３】
請求項３の発明は、上記各発明において、塵埃除去ユニットは、ブラシと、このブラシを回転させるブラシ回転手段と、ブラシを往復移動させるブラシ移動手段と、ブラシの回転を検出するブラシ回転検出手段を有すると共に、制御手段は、ブラシの移動を検出する移動検出手段を有し、この移動検出手段及びブラシ回転検出手段の出力に基づいて塵埃除去ユニットの異常を検知することを特徴とする。
【発明の効果】
【００１４】
本発明によれば、室内空気が流入する吸入部と、この吸入部から流入する塵埃を捕集するエアフィルタと、このエアフィルタに付着した塵埃を取り除く塵埃除去ユニットとを備えた空気調和機において、塵埃除去ユニットを制御する制御手段を備え、この制御手段は、塵埃除去ユニットを、所定の待機位置からエアフィルタの空気流入側を往復移動させることにより、このエアフィルタに付着した塵埃を取り除くと共に、移動中にこの塵埃除去ユニットに異常が発生した場合、待機位置に戻す待避動作を実行することにより、異常が発生した塵埃除去ユニットがエアフィルタの空気流入側に滞留してしまい、その後、空調運転が行われた場合に、当該塵埃除去ユニットが吸込口における空気流入の抵抗となってしまう不都合を未然に回避することが可能となる。
【００１５】
これにより、塵埃除去ユニットのメンテナンスが終了するまでの間であっても、円滑な空調運転を実現することが可能となり、塵埃除去ユニットを設けたことによる不具合を解消することができる。
【００１６】
請求項２の発明によれば、上記において、制御手段は、塵埃除去ユニットに異常が発生した場合、所定の警報を発生することにより、使用者に塵埃除去ユニットに異常が発生したことを早期に報知することが可能となる。これにより、メンテナンス等を促すことが可能となり、円滑な使用を実現することができる。
【００１７】
請求項３の発明によれば、上記各発明において、塵埃除去ユニットは、ブラシと、このブラシを回転させるブラシ回転手段と、ブラシを往復移動させるブラシ移動手段と、ブラシの回転を検出するブラシ回転検出手段を有すると共に、制御手段は、ブラシの移動を検出する移動検出手段を有し、この移動検出手段及びブラシ回転検出手段の出力に基づいて塵埃除去ユニットの異常を検知することにより、使用者にブラシ移動手段に異常が発生したことやブラシの回転に異常が発生したことを早期に報知することが可能となる。これにより、メンテナンス等を促すことができ、安定した使用を実現することができる。
【図面の簡単な説明】
【００１８】
【図１】本発明を適用した空気調和機の利用側ユニットの概略構成図である。
【図２】塵埃除去ユニットの運転制御を説明するブロック図である。
【図３】塵埃除去ユニットの運転制御のフローチャートである。
【発明を実施するための形態】
【００１９】
以下、図面に基づき本発明の実施形態を詳述する。図１は本発明を適用した空気調和機ＡＣの利用側ユニット（室内ユニット）Ａの概略構成図、図２は塵埃除去ユニット２０の運転制御を説明するブロック図を示している。本実施例における空気調和機ＡＣは、被調和室１内の天井に配設される利用側ユニットＡと、室外に配設される図示しない熱源側ユニットとから構成されている。この熱源側ユニットには、圧縮機、熱源側熱交換器などが配設されている。
【００２０】
本実施例における利用側ユニットＡは板金製の本体２内には、室内空気と冷媒との間で熱交換を行なう利用側熱交換器（室内側熱交換器）３、３と、室内空気を本体２内に吸込み送り出す送風機６を内蔵して構成されており、被調和室１の天井面を塞ぐように天井内部に嵌め込まれている。
【００２１】
被調和室１の天井面と略面一となる本体２の下面には、天面パネル７が設けられる。この天面パネル７の下面中央には、被調和室１内の空気を本体２内に吸い込む吸込口８が形成された吸込グリル９により形成された空気吸入部１０が構成されている。この吸込グリル９は、図示しない昇降手段によって昇降可能とされている。また、この吸込グリル９の近傍には、当該吸込グリル９の開閉を検出する手段、即ち、所定の空調運転位置とされているか否かを検出するグリルセンサ１２（図２参照）が設けられている。そして、この空気吸入部１０の両側方には、吹出口１１、１１が形成されている。
【００２２】
この本体２内には吸込口９に対向して、空気吸入部１０から本体２内に流入する塵埃を捕集するエアフィルタ１５が設けられている。また、本体２内には、天面パネル７上に設けられて、当該エアフィルタ１５を囲繞する図示しない枠体が設けられており、当該枠体にエアフィルタ１５に付着した塵埃を取り除く塵埃除去ユニット２０が設けられている。
【００２３】
エアフィルタ１５と吸込グリル９との間には、所定の間隔が形成されており、当該間隔に塵埃除去ユニット２０が配設されている。この塵埃除去ユニット２０は、ブラシ２１と、当該ブラシ２１を回転駆動させるブラシ回転モータ（ブラシ回転手段）２２と、当該塵埃除去ユニット２０自体をエアフィルタ１５の一側（所定待機位置）から他側（エアフィルタ１５の空気流入側）に往復移動させるブラシ移動モータ（ブラシ移動手段）２３と、前記ブラシ２１の回転を検出するブラシ回転センサ（ブラシ回転検出手段）２４とを備えている。
【００２４】
ブラシ２１は、略円筒状を呈しており、エアフィルタ１５の一側にて長手方向に延在して構成される。このブラシ２１は、断面略中央に位置し、長手方向に延在する回転軸を備えており、ブラシ回転モータ２２によって、当該回転軸が回転駆動させる。これにより、エアフィルタ１５に捕集された塵埃を掃き取る。当該ブラシ２１の端部に、ブラシ２１自体の回転を検出するブラシ回転センサ２４が取り付けられており、本実施例では、フォトセンサにより構成されている。
【００２５】
当該塵埃除去ユニット２０は、これに備えられた駆動軸が枠体の対向する辺の間に渡って架設されており、当該駆動軸は、上記ブラシ移動モータ２３により回転駆動される。この駆動軸により回転駆動される図示しないギアが設けられており、当該ギアは、枠体に形成される駆動用ラックギアと係合される。係る構成により、ブラシ移動モータ２３による駆動軸の正転によって回転されるギアがラックギアと歯合してエアフィルタ１５の一側（所定待機位置）から他側（エアフィルタ１５の空気流入側）方向に移動する。他方、ブラシ移動モータ２３による駆動軸の逆転によって回転されるギアがラックギアと歯合して他側から一側（所定待機位置）方向に移動する。
【００２６】
本実施例では、エアフィルタ１５（枠体に形成されるラックギア）の一側を塵埃除去ユニット２０の待機位置とし、塵埃除去ユニット２０が当該待機位置にある場合、係る塵埃除去ユニット２０が吸込口８からの室内空気の流入に影響を与えない位置とする。また、係る位置には、待機位置にある塵埃除去ユニット２０が当接するブラシ待機位置スイッチ（待機位置検出手段）２５が設けられている。
【００２７】
他方、当該待機位置と対向するエアフィルタ１５の他側（枠体に形成されるラックギアの他側）は、塵埃除去ユニット２０が移動可能とするリミット位置とし、当該位置には、吸込口８からの室内空気の流入に影響を与えない場所に塵埃除去ユニット２０により除去された塵埃などを一時的に貯留するダストボックス（捕集部）３０が設けられている。
【００２８】
当該ダストボックス３０に、塵埃除去ユニット２０が当接することにより、ブラシ２１がダストボックス３０内に位置し、ここで、ブラシ２１が回転することにより、ブラシ２１に捕集された塵埃が当該ダストボックス３０内に貯留される構成とされる。尚、当該ダストボックス３０は、上記昇降手段によって吸込グリル９を降下させ、開放することで外部に取り外し可能とされ、これによって、ダクトボックス３０内の塵埃を廃棄処理することができる。
【００２９】
そして、この塵埃除去ユニット２０がダストボックス３０に当接する位置には、係る位置にある塵埃除去ユニット２０が当接するブラシリミットスイッチ（リミット位置検出手段）２６が設けられている。
【００３０】
次に、図２のブロック図を参照して、塵埃除去ユニット２０の運転制御について説明する。利用側ユニットＡは、本体２内に各運転制御を行うための主制御部３２を備えている。この主制御部３２は、汎用のマイクロコンピュータにより構成されており、自動掃除制御部（制御手段）３５と通信可能に接続されている。この自動掃除制御部３５は、時限手段としてのタイマを備えた汎用のマイクロコンピュータにより構成されており、その入力側には、グリルセンサ１２と、ブラシ回転センサ２４と、ブラシ待機位置スイッチ２５と、ブラシリミットスイッチ２６等が接続されており、出力側には、ブラシ回転モータ２２、ブラシ移動モータ２３及び警報手段としてのＬＥＤからなる表示器３６等が接続されている。
【００３１】
この表示器３６は、例えば、青色ＬＥＤ３６Ｂ、黄色ＬＥＤ３６Ｙ及び赤色ＬＥＤ３６Ｒ等を備えている。本実施例では、青色ＬＥＤ３６Ｂは、塵埃除去ユニット２０による掃除動作中であることを報知し、黄色ＬＥＤ３６Ｙは、ダストボックス３０内の塵埃が満状態であることを報知し、赤色ＬＥＤ３６Ｒは、吸込グリル９及びブラシ２１の異常を報知する。
【００３２】
また、主制御部３２と通信可能に設けられるは、リモートコントローラ（リモコン）３３と通信可能とされている。当該リモコン３３は、主制御部３２の温度設定などの種々の設定を行うことができると共に、本実施例では、塵埃除去ユニット２０を手動で動作させるための掃除スイッチやダストボックス３０内の塵埃を処理した後に操作するリセットスイッチなどが設けられている。
【００３３】
以上の構成により、塵埃除去ユニット２０の運転制御について図３のフローチャートを参照して説明する。先ず、自動掃除制御部３５は、ステップＳ１において主制御部３２からエアフィルタ１５の清掃指示があったか否かを判断する。主制御部３２にリモコン３３からのエアフィルタ１５の掃除スイッチが操作され、当該清掃指示がされた場合には、主制御部３２から自動掃除制御部３５にエアフィルタ１５の掃除指示が成される。
【００３４】
この場合、ステップＳ２に進み、自動掃除制御部３５は、吸込グリル９が開放されているか否かを判断する。グリルセンサ１２の検出出力に基づき、吸込グリル９が閉じられて所定の空調運転位置とされている場合には、ステップＳ３に進む。尚、グリルセンサ１２の検出出力に基づき、吸込グリル９が開放されていることを検出した場合には、ステップＳ４に進み、赤色ＬＥＤ３６Ｒを点灯し、使用者に吸込グリル９が開いていることを報知する。
【００３５】
次に、自動掃除制御部３５は、ステップＳ３にてブラシ待機位置スイッチ２５がＯＮとされているか否かを判断する。通常、前回のエアフィルタ１５の掃除が終了した状態では、塵埃除去ユニット２０は、待機位置にある。ブラシ待機位置スイッチ２５がＯＮとされている場合には、ステップＳ５に進み、以降エアフィルタ１５の掃除運転を実行する。
【００３６】
ここで、ステップＳ３において、前回のエアフィルタ１５の掃除が適切な状態で終了しなかった場合や、他の原因によって塵埃除去ユニット２０がブラシ待機位置にない場合には、自動掃除制御部３５はステップＳ１５に進む。このステップＳ１５において、自動掃除制御部３５は、ブラシ移動モータ２３を逆転させて塵埃除去ユニット２０をエアフィルタ１５の待機位置とは反対側の他側（エアフィルタ１５の空気流入側）からエアフィルタ１５の一側に相当する待機位置に移動（ブラシ復路移動）させる。尚、当該ブラシ移動モータ２３は、係る復路移動によって塵埃除去ユニット２０がブラシ待機位置スイッチ２５をＯＮすることにより停止する。
【００３７】
自動掃除制御部３５は、ステップＳ１５におけるブラシ移動モータ２３を逆転させた後、ステップＳ１６に進み、当該逆転させてから所定の復路所要時間（少なくとも、ブラシリミット位置からブラシ待機位置に移動するまでに必要とされる時間よりも所定時間長い待機時間）が経過したか否かを判断する。当該復路所要時間の経過前にブラシ待機位置スイッチ２５がＯＮされた場合には、ステップＳ３を経て上記同様ステップＳ５に進む。
【００３８】
他方、何らかの原因、例えば当該塵埃除去ユニット２０のブラシ２１が摺動するエアフィルタ１５の表面にブラシ２１の移動を阻害するような異物が付着している場合や、ブラシ移動モータ２３等が故障等しているため、上記復路所要時間内にブラシ待機位置スイッチ２５をＯＮとすることができない場合には、自動掃除制御部３５は、ステップＳ１７に進み、表示器３６の赤色ＬＥＤ３６Ｒを点滅させ、異常表示を行う。尚、当該赤色ＬＥＤ３６Ｒの点滅周期は、後述するブラシ回転異常の表示と区別すべく、第１の警報間隔、例えば５００ｍｓ周期にて点滅させる。その後、ステップＳ１２に進み、ブラシ移動モータ２３を停止させる。
【００３９】
一方、上記ステップＳ３からステップＳ５に進み、エアフィルタ１５の掃除運転を実行する場合、先ずステップＳ５において自動掃除制御部３５は、ブラシ移動モータ２３を正転させ、塵埃除去ユニット２０をエアフィルタ１５の待機位置から反対側の他側（エアフィルタ１５の空気流入側）方向に移動させる（ブラシ往路移動）。
【００４０】
そして、ステップＳ６に進み、ブラシ移動モータ２３を正転を開始した後、ブラシ回転モータ２２を回転駆動させる。また、このとき、自動掃除制御部３５は、ブラシ回転モータ２２の回転を開始した後、ステップＳ７に進み、表示器３６の青色ＬＥＤ３６Ｂを点灯させる（掃除中ＬＥＤ点灯）。
【００４１】
これにより、ブラシ待機位置から反対側の他側方向に向けてエアフィルタ１５の表面にブラシ２１を回転させながら摺動させることで、空調運転によってエアフィルタ１５に補足された塵埃は、回転されるブラシ２１により掻き出され、除去処理される。
【００４２】
そして、ステップＳ８に進み、自動掃除制御部３５は、ブラシ移動モータ２３の正転によって塵埃除去ユニット２０が待機位置とは反対側のリミット位置に移動し、当該塵埃除去ユニット２０がリミットスイッチ２６をＯＮしたか否かを判断する。
【００４３】
リミットスイッチ２６がＯＮとなっていない場合には、自動掃除制御部３５は、ステップＳ１８に進み、当該ブラシ移動モータ２３を正転させてから所定の往路所要時間（少なくとも、ブラシ待機位置からにブラシリミット位置移動するまでに必要とされる時間よりも所定時間長い待機時間）が経過したか否かを判断する。当該往路所要時間が経過していない場合には、ステップＳ１９に進み、ブラシ回転センサ２４の検出出力に基づき、ブラシ２１が回転しているか否かを判断し、回転している場合には、ステップＳ５に進む。
【００４４】
そして、係る往路移動によって当該塵埃除去ユニット２０がリミットスイッチ２６をＯＮした場合には、ステップＳ８からステップＳ９に進む。尚、リミット位置に到達した塵埃除去ユニット２０は、ブラシ２１がダストボックス３０内に進入して、ここで、ブラシ２１が回転することでブラシ２１に捕集された塵埃がダストボックス３０内に回収される。
【００４５】
ステップＳ９において自動掃除制御部３５は、ブラシ移動モータ２３を逆転させて塵埃除去ユニット２０をエアフィルタ１５の待機位置とは反対側の他側（エアフィルタ１５の空気流入側）からエアフィルタ１５の一側に相当する待機位置に移動（ブラシ復路移動）させる。
【００４６】
そして、ステップＳ１０に進み、ブラシ移動モータ２３を正転を開始した後、ブラシ回転モータ２２を回転駆動させる。これにより、待機位置と反対側の他側からブラシ待機位置方向に向けてエアフィルタ１５の表面にブラシ２１を回転させながら摺動させる（復路移動する）ことで、往路移動で捕捉しきれなかったエアフィルタ１５に付着した塵埃は、回転されるブラシ２１により掻き出され、除去処理される。
【００４７】
そして、ステップＳ１１に進み、自動掃除制御部３５は、ブラシ移動モータ２３の逆転によって塵埃除去ユニット２０がリミット位置から待機位置に移動し、当該塵埃除去ユニット２０がブラシ待機位置スイッチ２５をＯＮしたか否かを判断する。
【００４８】
ブラシ待機位置スイッチ２５がＯＮとなっていない場合には、自動掃除制御部３５は、ステップＳ２１に進み、当該ブラシ移動モータ２３を逆転させてから所定の復路所要時間（少なくとも、ブラシリミット位置からブラシ待機位置に移動するまでに必要とされる時間よりも所定時間長い待機時間）が経過したか否かを判断する。当該復路所要時間が経過していない場合には、ステップＳ２２に進み、ブラシ回転センサ２４の検出出力に基づき、ブラシ２１が回転しているか否かを判断し、回転している場合には、ステップＳ９に進む。
【００４９】
そして、係る復路移動によって当該塵埃除去ユニット２０がブラシ待機位置スイッチ２５をＯＮした場合には、ステップＳ１１からステップＳ１２に進む。自動掃除制御部３５は、ステップＳ１２にてブラシ移動モータ２３を停止して、ステップＳ１３にてブラシ回転モータ２２を停止し、更にステップＳ１４にて表示器３６の青色ＬＥＤ３６Ｂを消灯する。そして、エアフィルタ１５の清掃運転を終了する。
【００５０】
一方、上記ステップＳ１８において、往路移動における往路所要時間が経過してしまった場合や、ステップＳ１９及びステップＳ２２にてブラシ回転センサ２４の検出出力によってブラシ２１が回転していないものと判断された場合には、ステップＳ２０に進む。
【００５１】
この場合、自動掃除制御部３５は、先ずブラシ移動モータ２３を逆転させて塵埃除去ユニット２０を復路移動させ、ステップＳ２３にてブラシ回転モータ２２を停止させる。そして、ステップＳ２４にてブラシ移動モータ２３の逆転による塵埃除去ユニット２０の復路移動によって、当該塵埃除去ユニット２０がブラシ待機位置スイッチ２５をＯＮしたか否かを判断する。
【００５２】
そして、ブラシ待機位置スイッチ２５をＯＮしていない場合には、ステップＳ２５にて逆転させてから所定の復路所要時間（少なくとも、ブラシリミット位置からブラシ待機位置に移動するまでに必要とされる時間よりも所定時間長い待機時間）が経過したか否かを判断する。当該復路所要時間の経過前にブラシ待機位置スイッチ２５がＯＮされた場合には、ステップＳ１７に進み、表示器３６にて異常表示を行う。
【００５３】
ここで、ブラシ回転センサ２４にてブラシ２１の回転が検出されなかった場合、即ち、ステップＳ１９及びステップＳ２２からステップＳ２０に進んだ場合には、赤色ＬＥＤ３６Ｒを第２の警報間隔、例えば２５０ｍｓ周期にて点滅させる。
【００５４】
他方、何らかの原因、例えば当該塵埃除去ユニット２０のブラシ２１が摺動するエアフィルタ１５の表面にブラシ２１の移動を阻害するような異物が付着している場合や、ブラシ移動モータ２３等が故障等により、上記復路所要時間内にブラシ待機位置スイッチ２５をＯＮとすることができない場合には、自動掃除制御部３５は、ステップＳ１７に進み、表示器３６の赤色ＬＥＤ３６Ｒを点滅（第１の警報間隔）させ、異常表示を行う。
【００５５】
その後、自動掃除制御部３５は、ステップＳ１７からステップＳ１２に移行し、ブラシ移動モータ２３を停止して、ステップＳ１３にてブラシ回転モータ２２を停止し、更にステップＳ１４にて表示器３６の青色ＬＥＤ３６Ｂを消灯する。そして、エアフィルタ１５の清掃運転を終了する。
【００５６】
このように、本実施例では、塵埃除去ユニット２０の往復移動の過程において、所定の所要時間内に、往路移動では、リミットスイッチ２６に、復路移動では、ブラシ待機位置スイッチ２５をＯＮとできない場合、又は、ブラシ２１の回転を検出できない場合など、異常が発生した場合には、塵埃除去ユニット２０の所定の待機位置に移動させる制御（即ち、退避動作）を行うことにより、異常が発生した塵埃除去ユニット２０がエアフィルタ１５の空気流入側に滞留してしまい、その後、空調運転が行われた場合に、当該塵埃除去ユニット２０が吸込口８における空気流入の抵抗となってしまう不都合を未然に回避することが可能となる。
【００５７】
これにより、塵埃除去ユニット２０のメンテナンスが終了するまでの間であっても、円滑な空調運転を実現することが可能となり、塵埃除去ユニット２０を設けたことによる不具合を解消することができる。
【００５８】
また、本実施例では、自動掃除制御部３５は、塵埃除去ユニット２０に異常、例えば、ブラシ移動モータ２３に異常が発生したことやブラシ２１の回転に異常が発生した場合、当該異常に応じて表示器３６により所定の警報を発生することにより、使用者に塵埃除去ユニット２０に異常が発生したことを早期に報知することが可能となる。これにより、メンテナンス等を促すことが可能となり、円滑な使用を実現することができる。
【００５９】
尚、本実施例では、復路移動の際に、塵埃除去ユニット２０に異常、塵埃除去ユニット２０が途中で移動できなくなり、ブラシ待機位置に移動できなくなった場合には、表示器３６により警報を発生し、ブラシ移動モータ２３及びブラシ回転モータ２２を停止させているが、これに限定されるものではなく、所定の復路移動所要時間が経過してしまった場合には、ブラシ移動モータ２３を逆転させてリミット位置に退避させるものとしても良い。これによっても、通常の空調運転時における室内空気の本体２内への流入抵抗となる不都合を抑制することが可能となる。
【００６０】
また、本実施例では、被調和室１内の天井に配設される利用側ユニットＡと、室外に配設される図示しない熱源側ユニットとから構成されている空気調和機ＡＣを例に挙げて説明しているが、利用側ユニットＡは、被調和室１内の天井に配設されるものに限定されず、また、当該利用側ユニットＡと熱源側ユニットとが一体形成された空気調和機であっても同様の効果を奏することができる。
【符号の説明】
【００６１】
ＡＣ  空気調和機
Ａ    利用側ユニット（室内ユニット）
１    被調和室
２    本体
３    利用側熱交換器（室内側熱交換器）
６    送風機
８    吸込口
９    吸込グリル
１０    空気吸入部
１２    グリルセンサ
１５    エアフィルタ
２０    塵埃除去ユニット
２１    ブラシ
２２    ブラシ回転モータ（ブラシ回転手段）
２３    ブラシ移動モータ（ブラシ移動手段）
２４    ブラシ回転センサ（ブラシ回転検出手段）
２５    ブラシ待機位置スイッチ（待機位置検出手段）
２６    ブラシリミットスイッチ（リミット位置検出手段）
３０    ダストボックス
３２    主制御部
３３    リモコン
３５    自動掃除制御部（制御手段）
３６    表示器（警報手段）
【図１】
2011075170.tif 000003
【図２】
2011075170.tif 000004
【図３】
2011075170.tif 000005